(57)【要約】  １つまたは複数のサービングセルの第１のセットを設定するために用いられる情報、および、第１のレポーティングモードを設定するために用いられる情報が含まれる上位層の信号を受信し、１つまたは複数のサービングセルの第２のセットを設定するために用いられる情報、および、第２のレポーティングモードを設定するために用いられる情報が含まれる上位層の信号を受信し、ＣＳＩリクエストが含まれるＤＣＩフォーマットをＰＤＣＣＨで受信する受信部と、前記ＣＳＩリクエストのフィールドに第１の値がセットされている場合には、前記第１のセットに対するＣＳＩを、前記第１のレポーティングモードを用いてＰＵＳＣＨで送信し、前記ＣＳＩリクエストのフィールドに第２の値がセットされている場合には、前記第２のセットに対するＣＳＩを、前記第２のレポーティングモードを用いてＰＵＳＣＨで送信する送信部と、を備える。
2016163369.tif 000002
【特許請求の範囲】
【請求項１】
端末装置であって、
１つまたは複数のサービングセルの第１のセットを設定するために用いられる情報、および、第１のレポーティングモードを設定するために用いられる情報が含まれる上位層の信号を受信し、
１つまたは複数のサービングセルの第２のセットを設定するために用いられる情報、および、第２のレポーティングモードを設定するために用いられる情報が含まれる上位層の信号を受信し、
ＣＳＩリクエストが含まれるＤＣＩフォーマットをＰＤＣＣＨで受信する受信部と、
前記ＣＳＩリクエストのフィールドに第１の値がセットされている場合には、前記第１のセットに対するＣＳＩを、前記第１のレポーティングモードを用いてＰＵＳＣＨで送信し、
前記ＣＳＩリクエストのフィールドに第２の値がセットされている場合には、前記第２のセットに対するＣＳＩを、前記第２のレポーティングモードを用いてＰＵＳＣＨで送信する送信部と、を備える
端末装置。
【請求項２】
前記送信部は、
前記ＣＳＩリクエストが含まれる前記ＤＣＩフォーマットを用いて前記ＰＵＳＣＨがスケジューリングされたサービングセルが属するセルグループに対するＣＳＩをレポートする
請求項１に記載の端末装置。
【請求項３】
前記第１のレポーティングモード、および、第２のレポーティングモードのいずれかは、セットＳサブバンドにおける送信を想定して算出されたＣＱＩをレポートするモードである
請求項１または請求項２に記載の端末装置。
【請求項４】
基地局装置であって、
１つまたは複数のサービングセルの第１のセットを設定するために用いられる情報、および、第１のレポーティングモードを設定するために用いられる情報が含まれる上位層の信号を送信し、
１つまたは複数のサービングセルの第２のセットを設定するために用いられる情報、および、第２のレポーティングモードを設定するために用いられる情報が含まれる上位層の信号を送信し、
ＣＳＩリクエストが含まれるＤＣＩフォーマットをＰＤＣＣＨで送信する送信部と、
前記ＣＳＩリクエストのフィールドに第１の値がセットした場合には、前記第１のセットに対するＣＳＩを、前記第１のレポーティングモードを用いてＰＵＳＣＨで受信し、
前記ＣＳＩリクエストのフィールドに第２の値がセットされている場合には、前記第２のセットに対するＣＳＩを、前記第２のレポーティングモードを用いてＰＵＳＣＨで受信する受信部と、を備える
基地局装置。
【請求項５】
前記受信部は、
前記ＣＳＩリクエストが含まれる前記ＤＣＩフォーマットを用いて前記ＰＵＳＣＨをスケジューリングしたサービングセルが属するセルグループに対するＣＳＩを受信する
請求項４に記載の基地局装置。
【請求項６】
前記第１のレポーティングモード、および、第２のレポーティングモードのいずれかは、セットＳサブバンドにおける送信を想定して算出されたＣＱＩをレポートするモードである
請求項４または請求項５に記載の基地局装置。
【請求項７】
端末装置の通信方法であって、
１つまたは複数のサービングセルの第１のセットを設定するために用いられる情報、および、第１のレポーティングモードを設定するために用いられる情報が含まれる上位層の信号を受信し、
１つまたは複数のサービングセルの第２のセットを設定するために用いられる情報、および、第２のレポーティングモードを設定するために用いられる情報が含まれる上位層の信号を受信し、
ＣＳＩリクエストが含まれるＤＣＩフォーマットをＰＤＣＣＨで受信し、
前記ＣＳＩリクエストのフィールドに第１の値がセットされている場合には、前記第１のセットに対するＣＳＩを、前記第１のレポーティングモードを用いてＰＵＳＣＨで送信し、
前記ＣＳＩリクエストのフィールドに第２の値がセットされている場合には、前記第２のセットに対するＣＳＩを、前記第２のレポーティングモードを用いてＰＵＳＣＨで送信する
通信方法。
【請求項８】
基地局装置の通信方法であって、
１つまたは複数のサービングセルの第１のセットを設定するために用いられる情報、および、第１のレポーティングモードを設定するために用いられる情報が含まれる上位層の信号を送信し、
１つまたは複数のサービングセルの第２のセットを設定するために用いられる情報、および、第２のレポーティングモードを設定するために用いられる情報が含まれる上位層の信号を送信し、
ＣＳＩリクエストが含まれるＤＣＩフォーマットをＰＤＣＣＨで送信し、
前記ＣＳＩリクエストのフィールドに第１の値がセットした場合には、前記第１のセットに対するＣＳＩを、前記第１のレポーティングモードを用いてＰＵＳＣＨで受信し、
前記ＣＳＩリクエストのフィールドに第２の値がセットされている場合には、前記第２のセットに対するＣＳＩを、前記第２のレポーティングモードを用いてＰＵＳＣＨで受信する
通信方法。
【請求項９】
端末装置に搭載される集積回路であって、
１つまたは複数のサービングセルの第１のセットを設定するために用いられる情報、および、第１のレポーティングモードを設定するために用いられる情報が含まれる上位層の信号を受信し、
１つまたは複数のサービングセルの第２のセットを設定するために用いられる情報、および、第２のレポーティングモードを設定するために用いられる情報が含まれる上位層の信号を受信し、
ＣＳＩリクエストが含まれるＤＣＩフォーマットをＰＤＣＣＨで受信する機能と、
前記ＣＳＩリクエストのフィールドに第１の値がセットされている場合には、前記第１のセットに対するＣＳＩを、前記第１のレポーティングモードを用いてＰＵＳＣＨで送信し、
前記ＣＳＩリクエストのフィールドに第２の値がセットされている場合には、前記第２のセットに対するＣＳＩを、前記第２のレポーティングモードを用いてＰＵＳＣＨで送信する機能と、を前記端末装置に発揮させる
集積回路。
【請求項１０】
基地局装置に搭載される集積回路であって、
１つまたは複数のサービングセルの第１のセットを設定するために用いられる情報、および、第１のレポーティングモードを設定するために用いられる情報が含まれる上位層の信号を送信し、
１つまたは複数のサービングセルの第２のセットを設定するために用いられる情報、および、第２のレポーティングモードを設定するために用いられる情報が含まれる上位層の信号を送信し、
ＣＳＩリクエストが含まれるＤＣＩフォーマットをＰＤＣＣＨで送信する機能と、
前記ＣＳＩリクエストのフィールドに第１の値がセットした場合には、前記第１のセットに対するＣＳＩを、前記第１のレポーティングモードを用いてＰＵＳＣＨで受信し、
前記ＣＳＩリクエストのフィールドに第２の値がセットされている場合には、前記第２のセットに対するＣＳＩを、前記第２のレポーティングモードを用いてＰＵＳＣＨで受信する機能と、を前記基地局装置に発揮させる
集積回路。
【発明の詳細な説明】
【技術分野】
【０００１】
本発明は、端末装置、基地局装置、通信方法、および、集積回路に関する。
本願は、２０１５年４月１０日に、日本に出願された特願２０１５−０８０５０８号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation PartnershipProject: 3GPP）において検討されている（非特許文献１、非特許文献２、非特許文献３、非特許文献４、および、非特許文献５）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰにおいて、端末装置が５つまでのサービングセル（コンポーネントキャリア）において、同時に送信、および／または、受信を行うことができるキャリアアグリゲーションが仕様化されている。【０００５】
また、３ＧＰＰにおいて、端末装置が５つを超えたサービングセル（コンポーネントキャリア）において、同時に送信、および／または、受信を行うことが検討されている（非特許文献１）。さらに、端末装置が、プライマリーセル以外のサービングセルであるセカンダリーセルにおいて、物理上りリンク制御チャネルでの送信を行うことが検討されている（非特許文献６）。
【先行技術文献】
【非特許文献】
【０００６】
【非特許文献１】"3GPP TS 36.211 V12.4.0 (2014-12) Evolved Universal Terrestrial Radio Access (E-UTRA); Physical channels and modulation (Release 12)", 6th-January 2015.
【非特許文献２】"3GPP TS 36.212 V12.3.0 (2014-12) Evolved Universal Terrestrial Radio Access (E-UTRA); Multiplexing and channel coding (Release 12)", 6th-January 2015.
【非特許文献３】"3GPP TS 36.213 V12.4.0 (2014-12) Evolved Universal Terrestrial Radio Access (E-UTRA); Physical layer procedures (Release 12)", 7th-January 2015.
【非特許文献４】"3GPP TS 36.321 V12.4.0 (2014-12) Evolved Universal Terrestrial Radio Access (E-UTRA); Medium Access Control (MAC) protocol specification (Release 12)", 5th-January 2015.
【非特許文献５】"3GPP TS 36.331 V12.4.1 (2014-12) Evolved Universal Terrestrial Radio Access (E-UTRA); Radio Resource Control (RRC); Protocol specification (Release 12)", 7th-January 2015.
【非特許文献６】"New WI proposal: LTE Carrier Aggregation Enhancement Beyond5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
しかしながら、上述のような無線通信システムにおいて、上りリンク制御情報を送信する際の処理について、具体的な方法は十分に検討されていなかった。【０００８】
本発明のいくつかの態様は上記の点に鑑みてなされたものであり、その目的は、上りリンク制御情報を効率的に送信することができる端末装置、基地局装置、通信方法、および、集積回路を提供することを目的とする。
【課題を解決するための手段】
【０００９】
（１）上記の目的を達成するために、本発明のいくつかの態様は、以下のような手段を講じた。すなわち、本発明の一態様における端末装置は、端末装置であって、１つまたは複数のサービングセルの第１のセットを設定するために用いられる情報、および、第１のレポーティングモードを設定するために用いられる情報が含まれる上位層の信号を受信し、１つまたは複数のサービングセルの第２のセットを設定するために用いられる情報、および、第２のレポーティングモードを設定するために用いられる情報が含まれる上位層の信号を受信し、ＣＳＩリクエストが含まれるＤＣＩフォーマットをＰＤＣＣＨで受信する受信部と、ＣＳＩリクエストのフィールドに第１の値がセットされている場合には、第１のセットに対するＣＳＩを、第１のレポーティングモードを用いてＰＵＳＣＨで送信し、ＣＳＩリクエストのフィールドに第２の値がセットされている場合には、第２のセットに対するＣＳＩを、第２のレポーティングモードを用いてＰＵＳＣＨで送信する送信部と、を備える。【００１０】
（２）また、本発明の一態様における基地局装置は、基地局装置であって、１つまたは複数のサービングセルの第１のセットを設定するために用いられる情報、および、第１のレポーティングモードを設定するために用いられる情報が含まれる上位層の信号を送信し、１つまたは複数のサービングセルの第２のセットを設定するために用いられる情報、および、第２のレポーティングモードを設定するために用いられる情報が含まれる上位層の信号を送信し、ＣＳＩリクエストが含まれるＤＣＩフォーマットをＰＤＣＣＨで送信する送信部と、ＣＳＩリクエストのフィールドに第１の値がセットした場合には、第１のセットに対するＣＳＩを、第１のレポーティングモードを用いてＰＵＳＣＨで受信し、ＣＳＩリクエストのフィールドに第２の値がセットされている場合には、第２のセットに対するＣＳＩを、第２のレポーティングモードを用いてＰＵＳＣＨで受信する受信部と、を備える。【００１１】
（３）また、本発明の一態様における通信方法は、端末装置の通信方法であって、１つまたは複数のサービングセルの第１のセットを設定するために用いられる情報、および、第１のレポーティングモードを設定するために用いられる情報が含まれる上位層の信号を受信し、１つまたは複数のサービングセルの第２のセットを設定するために用いられる情報、および、第２のレポーティングモードを設定するために用いられる情報が含まれる上位層の信号を受信し、ＣＳＩリクエストが含まれるＤＣＩフォーマットをＰＤＣＣＨで受信し、ＣＳＩリクエストのフィールドに第１の値がセットされている場合には、第１のセットに対するＣＳＩを、第１のレポーティングモードを用いてＰＵＳＣＨで送信し、ＣＳＩリクエストのフィールドに第２の値がセットされている場合には、第２のセットに対するＣＳＩを、第２のレポーティングモードを用いてＰＵＳＣＨで送信する。【００１２】
（４）また、本発明の一態様における通信方法は、基地局装置の通信方法であって、１つまたは複数のサービングセルの第１のセットを設定するために用いられる情報、および、第１のレポーティングモードを設定するために用いられる情報が含まれる上位層の信号を送信し、１つまたは複数のサービングセルの第２のセットを設定するために用いられる情報、および、第２のレポーティングモードを設定するために用いられる情報が含まれる上位層の信号を送信し、ＣＳＩリクエストが含まれるＤＣＩフォーマットをＰＤＣＣＨで送信し、ＣＳＩリクエストのフィールドに第１の値がセットした場合には、第１のセットに対するＣＳＩを、第１のレポーティングモードを用いてＰＵＳＣＨで受信し、ＣＳＩリクエストのフィールドに第２の値がセットされている場合には、第２のセットに対するＣＳＩを、第２のレポーティングモードを用いてＰＵＳＣＨで受信する。【００１３】
（５）また、本発明の一態様における通信方法は、端末装置に搭載される集積回路であって、１つまたは複数のサービングセルの第１のセットを設定するために用いられる情報、および、第１のレポーティングモードを設定するために用いられる情報が含まれる上位層の信号を受信し、１つまたは複数のサービングセルの第２のセットを設定するために用いられる情報、および、第２のレポーティングモードを設定するために用いられる情報が含まれる上位層の信号を受信し、ＣＳＩリクエストが含まれるＤＣＩフォーマットをＰＤＣＣＨで受信する機能と、ＣＳＩリクエストのフィールドに第１の値がセットされている場合には、第１のセットに対するＣＳＩを、第１のレポーティングモードを用いてＰＵＳＣＨで送信し、ＣＳＩリクエストのフィールドに第２の値がセットされている場合には、第２のセットに対するＣＳＩを、第２のレポーティングモードを用いてＰＵＳＣＨで送信する機能と、を端末装置に発揮させる。【００１４】
（６）また、本発明の一態様における通信方法は、基地局装置に搭載される集積回路であって、１つまたは複数のサービングセルの第１のセットを設定するために用いられる情報、および、第１のレポーティングモードを設定するために用いられる情報が含まれる上位層の信号を送信し、１つまたは複数のサービングセルの第２のセットを設定するために用いられる情報、および、第２のレポーティングモードを設定するために用いられる情報が含まれる上位層の信号を送信し、ＣＳＩリクエストが含まれるＤＣＩフォーマットをＰＤＣＣＨで送信する機能と、ＣＳＩリクエストのフィールドに第１の値がセットした場合には、第１のセットに対するＣＳＩを、第１のレポーティングモードを用いてＰＵＳＣＨで受信し、ＣＳＩリクエストのフィールドに第２の値がセットされている場合には、第２のセットに対するＣＳＩを、第２のレポーティングモードを用いてＰＵＳＣＨで受信する機能と、を基地局装置に発揮させる。
【発明の効果】
【００１５】
この発明のいくつかの態様によれば、上りリンク制御情報を効率的に送信することができる。
【図面の簡単な説明】
【００１６】
【図１】本実施形態における無線通信システムの概念を示す図である。
【図２】本実施形態におけるスロットの構成を示す図である。
【図３】本実施形態におけるＰＵＣＣＨセルグループを説明する図である。
【図４】本実施形態におけるアピリオディックＣＳＩレポートを説明するための図である。
【図５】本実施形態におけるアピリオディックＣＳＩレポートを説明するための別の図である。
【図６】本実施形態におけるレポーティングモードを説明する図である。
【図７】本実施形態における端末装置１の構成を示す概略ブロック図である。
【図８】本実施形態における基地局装置３の構成を示す概略ブロック図である。
【発明を実施するための形態】
【００１７】
以下、本発明の実施形態について説明する。
【００１８】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１９】
本実施形態における物理チャネルおよび物理信号について説明する。
【００２０】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２１】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。ここで、ＣＳＩは、チャネル品質インディケータ（CQI: Channel quality indicator）、プレコーディングマトリックスインディケータ（PMI: Precoding Matrix Indicator）、および／または、ランクインディケーション（RI: Rank Indication）で構成されてもよい。
【００２２】
また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。
【００２３】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２４】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２５】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio ResourceControl message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２６】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２７】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００２８】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００２９】
本実施形態において、以下の２つのタイプの上りリンク参照信号が用いられる。
・ＤＭＲＳ（Demodulation Reference Signal）
・ＳＲＳ（Sounding Reference Signal）
【００３０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３１】
ＳＲＳは、ＰＵＳＣＨまたはＰＵＣＣＨの送信に関連しない。基地局装置３は、上りリンクのチャネル状態を測定するためにＳＲＳを使用する。
【００３２】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３３】
ＰＢＣＨは、端末装置１で共通に用いられるマスターインフォメーションブロック（Master Information Block: MIB, Broadcast Channel: BCH）を報知するために用いられる。
【００３４】
ＰＣＦＩＣＨは、ＰＤＣＣＨの送信に用いられる領域（ＯＦＤＭシンボル）を指示する情報を送信するために用いられる。
【００３５】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３６】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３７】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１Ａ、ＤＣＩフォーマット１Ｃ）が定義されてもよい。
【００３８】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、リソースブロック割り当てに関する情報、ＭＣＳ（Modulation and Coding Scheme）に関する情報、などの下りリンク制御情報が含まれる。ここで、下りリンクに対するＤＣＩフォーマットを、下りリンクグラント（downlink grant）、または、下りリンクアサインメント（downlink assignment）とも称する。
【００３９】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００４０】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、送信レイヤの数を指示するために用いられる情報（Precoding information and number of layers）、などの下りリンク制御情報が含まれる。ここで、上りリンクに対するＤＣＩフォーマットを、上りリンクグラント（uplink grant）、または、上りリンクアサインメント（Uplink assignment）とも称する。
【００４１】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００４２】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、ＰＤＣＣＨおよび／またはＥＰＤＤＣＨを示してもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４３】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS: UE-specific Search Space）が含まれてもよい。例えば、ＵＳＳは、少なくとも、端末装置１に対して割り当てられるＣ−ＲＮＴＩに基づいて定義されてもよい。端末装置１は、ＣＳＳおよび／またはＵＳＳにおいて、ＰＤＣＣＨをモニタし、自装置宛てのＰＤＣＣＨを検出してもよい。
【００４４】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００４５】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４６】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。
【００４７】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００４８】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００４９】
ＰＭＣＨは、マルチキャストデータ（Multicast Channel: MCH）を送信するために用いられる。
【００５０】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５１】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５２】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５３】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５４】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５５】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５６】
以下、キャリアアグリゲーションについて説明する。
【００５７】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００５８】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、後述する、端末装置１に対して設定される１つまたは複数のサービングセルのグループ（例えば、ＰＵＣＣＨセルグループ）のそれぞれにおいて、本実施形態が適用されてもよい。また、端末装置１に対して設定される１つまたは複数のサービングセルのグループの一部において、本実施形態が適用されてもよい。
【００５９】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００６０】
ここで、設定される１つまたは複数のサービングセルには、１つのプライマリーセルと、１つまたは複数のセカンダリーセルとが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００６１】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６２】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００６３】
ここで、プライマリーセルは、ＰＵＣＣＨの送信に対して用いられる。また、プライマリーセルは、非活性化されない（primary cell cannot be deactivated）。また、クロスキャリアスケジューリングは、プライマリーに適用されない（Cross-carrier schedulingdoes not apply to primary cell）。すなわち、プライマリーセルは、常に、プライマリーセルにおけるＰＤＣＣＨを用いてスケジュールされる（primary cell is always scheduled via its PDCCH）。
【００６４】
また、あるセカンダリーセルにおいてＰＤＣＣＨ（ＰＤＣＣＨのモニタでもよい）が設定された場合には、クロスキャリアスケジューリングは、該あるセカンダリーセルには適用されなくてもよい（In a case that PDCCH (PDCCH monitoring) of a secondary cell is configured, cross-carries scheduling may not apply this secondary cell）。すなわち、この場合において、該セカンダリーセルは、常に、該セカンダリーセルにおけるＰＤＣＣＨを用いてスケジュールされてもよい。また、あるセカンダリーセルにおいてＰＤＣＣＨ（ＰＤＣＣＨのモニタでもよい）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００６５】
ここで、本実施形態において、ＰＵＣＣＨの送信のために用いられるセカンダリーセルを、ＰＵＣＣＨセカンダリーセル、および、スペシャルセカンダリーセルと称する。また、本実施形態において、ＰＵＣＣＨの送信のために用いられないセカンダリーセルを、非ＰＵＣＣＨセカンダリーセル、非スペシャルセカンダリーセル、非ＰＵＣＣＨサービングセル、および、非ＰＵＣＣＨセルと称する。また、プライマリーセルおよびＰＵＣＣＨセカンダリーセルを総称して、ＰＵＣＣＨサービングセル、および、ＰＵＣＣＨセルと称する。
【００６６】
ここで、ＰＵＣＣＨサービングセル（プライマリーセル、ＰＵＣＣＨセカンダリーセル）は、常に、下りリンクコンポーネントキャリア、および、上りリンクコンポーネントキャリアを持つ。また、ＰＵＣＣＨサービングセル（プライマリーセル、ＰＵＣＣＨセカンダリーセル）において、ＰＵＣＣＨのリソースが設定される。
【００６７】
また、非ＰＵＣＣＨサービングセル（非ＰＵＣＣＨセカンダリーセル）は、下りリンクコンポーネントキャリアのみを持ってもよい。また、非ＰＵＣＣＨサービングセル（非ＰＵＣＣＨセカンダリーセル）は、下りリンクコンポーネントキャリア、および、上りリンクコンポーネントキャリアを持ってもよい。
【００６８】
端末装置１は、ＰＵＣＣＨサービングセルにおいてＰＵＣＣＨでの送信を行う。すなわち、端末装置１は、プライマリーセルにおいてＰＵＣＣＨでの送信を行う。また、端末装置１は、ＰＵＣＣＨセカンダリーセルにおいてＰＵＣＣＨでの送信を行う。また、端末装置１は、非スペシャルセカンダリーセルにおいてＰＵＣＣＨでの送信を行わない。
【００６９】
ここで、ＰＵＣＣＨセカンダリーセルを、プライマリーセルおよびセカンダリーセルでないサービングセルとして定義してもよい。
【００７０】
ここで、基地局装置３は、上位層の信号を用いて、１つまたは複数のサービングセルを設定してもよい。例えば、複数のサービングセルのセットをプライマリーセルと共に形成するために、１つまたは複数のセカンダリーセルが設定されてもよい。ここで、基地局装置３によって設定されるサービングセルに、ＰＵＣＣＨセカンダリーセルが含まれてもよい。
【００７１】
また、基地局装置３は、上位層の信号（例えば、ＭＡＣコントロールエレメント）を用いて、１つまたは複数のサービングセルを、活性化（activate）または非活性化（deactivate）してもよい。例えば、活性化または非活性のメカニズムは、ＭＡＣコントロールエレメントと非活性化に関連するタイマー（deactivation timer）の組み合わせに基づいてもよい。
【００７２】
ここで、基地局装置３によって、活性化または非活性化されるセカンダリーセルに、ＰＵＣＣＨセカンダリーセルが含まれてもよい。すなわち、基地局装置３は、単一のコマンド（a single activation/deactivation command）を用いて、ＰＵＣＣＨセカンダリーセルを含む複数のセカンダリーセルを、独立に、活性化または非活性化してもよい。すなわち、基地局装置３は、セカンダリーセルを活性化または非活性化するために用いられる単一のコマンドを、ＭＡＣコントロールエレメントを用いて送信してもよい。
【００７３】
また、非活性化に関連するタイマーの値として、上位層（例えば、ＲＲＣ層）によって、端末装置１毎に、１つの共通の値が設定されてもよい。また、非活性化に関連するタイマー（タイマーの値）は、セカンダリーセル毎に保持（適用）されてもよい。ここで、非活性化に関連するタイマー（タイマーの値）は、非ＰＵＣＣＨセカンダリーセル毎に対してのみ保持されてもよい。すなわち、端末装置１は、非活性化に関連するタイマーを、ＰＵＣＣＨセカンダリーセルに対して適用せず、非ＰＵＣＣＨセカンダリーセル毎に対してのみ保持（適用）してもよい。
【００７４】
また、ＰＵＣＣＨセカンダリーセルに対する非活性化に関連するタイマーと、非ＰＵＣＣＨセカンダリーセルに対する非活性化に関連するタイマーが、それぞれ設定されてもよい。例えば、基地局装置３は、ＰＵＣＣＨセカンダリーセルに対する非活性化に関連するタイマーと設定するための情報が含まれる上位層の信号を送信してもよい。また、基地局装置３は、非ＰＵＣＣＨセカンダリーセルに対する非活性化に関連するタイマーと設定するための情報が含まれる上位層の信号を送信してもよい。
【００７５】
すなわち、ＰＵＣＣＨセカンダリーセルは、ＰＵＣＣＨの送信に対して用いられる。また、ＰＵＣＣＨセカンダリーセルは、非活性化されなくてもよい（PUCCH secondary cellmay not be deactivated）。
【００７６】
また、クロスキャリアスケジューリングは、ＰＵＣＣＨセカンダリーセルに適用されなくてもよい（Cross-carrier scheduling may not apply to PUCCH secondary cell）。すなわち、ＰＵＣＣＨセカンダリーセルは、常に、ＰＵＣＣＨセカンダリーセルにおけるＰＤＣＣＨを用いてスケジュールされてもよい（PUCCH secondary cell is always scheduled via its PDCCH）。ここで、クロスキャリアスケジューリングは、ＰＵＣＣＨセカンダリーセルに適用されてもよい（Cross-carrier scheduling may apply to PUCCH secondary cell）。すなわち、ＰＵＣＣＨセカンダリーセルは、１つの他のサービングセルにおけるＰＤＣＣＨを用いてスケジュールされてもよい。
【００７７】
例えば、ＰＵＣＣＨセカンダリーセルにおいてＰＤＣＣＨ（ＰＤＣＣＨのモニタでもよい）が設定された場合には、クロスキャリアスケジューリングは、該ＰＵＣＣＨセカンダリーセルには適用されなくてもよい（In a case that PDCCH (PDCCH monitoring) of a PUCCH secondary cell is configured, cross-carries scheduling may not apply this PUCCH secondary cell）。すなわち、この場合において、該ＰＵＣＣＨセカンダリーセルは、常に、該ＰＵＣＣＨセカンダリーセルにおけるＰＤＣＣＨを用いてスケジュールされてもよい。また、ＰＵＣＣＨセカンダリーセルにおいてＰＤＣＣＨ（ＰＤＣＣＨのモニタでもよい）が設定されていない場合には、クロスキャリアスケジューリングが適用され、該ＰＵＣＣＨセカンダリーセルは、常に、１つの他のサービングセルにおけるＰＤＣＣＨを用いてスケジュールされてもよい。
【００７８】
ここで、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、下りリンクアサインメントに対するサービングセル（下りリンクアサインメントによってスケジュールされるＰＤＳＣＨでの送信（下りリンクの送信）が行なわれるサービングセル）が識別されてもよい。また、上りリンクと下りリンクとの間におけるリンキングに基づいて、上りリンクグラントに対するサービングセル（上りリンクグラントによってスケジュールされるＰＵＳＣＨでの送信（上りリンクの送信）が行なわれるサービングセル）が識別されてもよい。ここで、該下りリンクアサインメント、または、該上りリンクには、キャリアインディケータフィールドは存在しない。
【００７９】
すなわち、プライマリーセルにおいて受信した下りリンクアサインメントは、プライマリーセルにおける下りリンクの送信に対応してもよい。また、プライマリーセルにおいて受信した上りリンクグラントは、プライマリーセルにおける上りリンクの送信に対応してもよい。また、ＰＵＣＣＨセカンダリーセルにおいて受信した下りリンクアサインメントは、ＰＵＣＣＨセカンダリーセルにおける下りリンクの送信に対応してもよい。また、ＰＵＣＣＨセカンダリーセルにおいて受信した上りリンクグラントは、ＰＵＣＣＨセカンダリーセルにおける上りリンクの送信に対応してもよい。
【００８０】
また、あるセカンダリーセル（ＰＵＣＣＨセカンダリーセル、および／または、非ＰＵＣＣＨセカンダリーセル）において受信した下りリンクアサインメントは、該あるセカンダリーセルにおける下りリンクの送信に対応してもよい。また、あるセカンダリーセル（ＰＵＣＣＨセカンダリーセル、および／または、非ＰＵＣＣＨセカンダリーセル）において受信した上りリンクグラントは、該あるセカンダリーセルにおける上りリンクの送信に対応してもよい。
【００８１】
以下、本実施形態におけるスロットの構成について説明する。
【００８２】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００８３】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００８４】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００８５】
図３は、本実施形態におけるＰＵＣＣＨセルグループを説明する図である。図３は、ＰＵＣＣＨセルグループの設定（構成、定義）の例として、３つの例（Example (a)、Example (b)、Example (c)）を示している。ここで、本実施形態において、複数のサービングセルのグループをＰＵＣＣＨセルグループと称する。ＰＵＣＣＨセルグループは、ＰＵＣＣＨでの送信（ＰＵＣＣＨでの上りリンク制御情報の送信）に関連するグループであってもよい。ここで、あるサービングセルは、何れか１つのＰＵＣＣＨセルグループに属する。ここで、ＰＵＣＣＨセルグループは、図３に示す例とは異なるように設定されてもよいことは勿論である。
【００８６】
ここで、本実施形態における基地局装置３および／または端末装置１は、例えば、３２までの下りリンクコンポーネントキャリア（下りリンクのセル、up to 32 downlink component carriers）のキャリアアグリゲーションをサポートしてもよい。すなわち、基地局装置３と端末装置１は、３２までのサービングセルにおいて、同時に複数の物理チャネルでの送信、および／または受信を行うことができる。ここで、上りリンクのコンポーネントキャリアの数は、下りリンクのコンポーネントキャリアの数より少なくてもよい。
【００８７】
例えば、基地局装置３は、ＰＵＣＣＨセルグループを設定してもよい。例えば、基地局装置３は、ＰＵＣＣＨセルグループを設定するために用いられる情報が含まれる上位層の信号を送信してもよい。例えば、ＰＵＣＣＨセルグループを識別するためのインデックス（セルグループインデックス、情報）が設定（定義）され、基地局装置３が、ＰＵＣＣＨセルグループを識別するために用いられるインデックスが含まれる上位層の信号を送信してもよい。
【００８８】
図３（ａ）は、ＰＵＣＣＨセルグループとして、第１のＰＵＣＣＨセルグループ、第２のセルグループが設定されていることを示している。例えば、図３（ａ）において、基地局装置３は、第１のセルグループにおいて下りリンク信号を送信し、端末装置３は、第１のセルグループにおいて上りリンク信号を送信してもよい（第１のセルグループにおけるＰＵＣＣＨで上りリンク制御情報を送信してもよい）。例えば、第１のセルグループにおいて２０のサービングセル（下りリンクコンポーネントキャリア、下りリンクセル）が設定または活性化された場合には、基地局装置３と端末装置１は、該２０の下りリンクコンポーネントキャリアに対する上りリンク制御情報を送受信してもよい。
【００８９】
すなわち、端末装置１は、２０の下りリンクコンポーネントキャリアに対応するＨＡＲＱ−ＡＣＫ（ＰＤＳＣＨでの送信に対するＨＡＲＱ−ＡＣＫ、トランスポートブロックに対するＨＡＲＱ−ＡＣＫ）を送信してもよい。また、端末装置１は、２０の下りリンクコンポーネントキャリアに対応するＣＳＩ（例えば、ピリオディックＣＳＩ、および／または、アピリオディックＣＳＩ）を送信してもよい。また、端末装置１は、ＰＵＣＣＨセルグループ毎にＳＲを送信してもよい。同様に、基地局装置３と端末装置１は、第２のＰＵＣＣＨセルグループにおいて上りリンク制御情報を送受信してもよい。
【００９０】
同様に、基地局装置３と端末装置１は、図３（ｂ）に示すようにＰＵＣＣＨセルグループを設定し、上りリンク制御情報を送受信してもよい。また、基地局装置３と端末装置１は、図３（ｃ）に示すようにＰＵＣＣＨセルグループを設定し、上りリンク制御情報を送受信してもよい。
【００９１】
ここで、１つのＰＵＣＣＨセルグループは、少なくとも、１つのＰＵＣＣＨサービングセルを含んでもよい。１つのＰＵＣＣＨセルグループは、１つのＰＵＣＣＨサービングセルのみを含んでもよい。１つのＰＵＣＣＨセルグループは、１つのＰＵＣＣＨサービングセル、および、１つまたは複数の非ＰＵＣＣＨサービングセルを含んでもよい。
【００９２】
ここで、プライマリーセルを含むＰＵＣＣＨセルグループを、プライマリーＰＵＣＣＨセルグループと称する。また、プライマリーセルを含まないＰＵＣＣＨセルグループを、セカンダリーＰＵＣＣＨセルグループと称する。すなわち、セカンダリーＰＵＣＣＨセルグループは、ＰＵＣＣＨセカンダリーセルを含んでもよい。例えば、プライマリーＰＵＣＣＨセルグループに対するインデックスは常に０として定義されてもよい。また、セカンダリーＰＵＣＣＨセルグループに対するインデックスは、基地局装置３（ネットワーク装置でもよい）によって設定されてもよい。
【００９３】
基地局装置３は、ＰＵＣＣＨセカンダリーセルを指示するために用いられる情報を、上位層の信号、および／または、ＰＤＣＣＨ（ＰＤＣＣＨで送信される下りリンク制御情報）に含めて送信してもよい。端末装置１は、ＰＵＣＣＨセカンダリーセルを指示するために用いられる情報に基づいて、ＰＵＣＣＨセカンダリーセルを決定してもよい。
【００９４】
上述したように、ＰＵＣＣＨサービングセルのＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）を送信するために用いられてもよい。
【００９５】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）は、該ＰＵＣＣＨセルグループに含まれるＰＵＣＣＨサービングセルにおけるＰＵＣＣＨを用いて送信される。
【００９６】
図４は、本実施形態におけるＣＳＩレポートを説明するための図である。図４（ａ）は、上りリンクに対するＤＣＩフォーマットと伴うＰＤＣＣＨに対する２ビットＣＳＩリクエストフィールドについての記載を示している。また、図４（ｂ）は、上りリンクに対するＤＣＩフォーマットと伴うＰＤＣＣＨに対する３ビットＣＳＩリクエストフィールドについての記載を示している。例えば、図４（ａ）、図４（ｂ）は、ユーザー装置スペシフィックサーチスペースにおける上りリンクに対するＤＣＩフォーマットと伴うＰＤＣＣＨに対するＣＳＩリクエストフィールドについての記載を示している。
【００９７】
以下、図４を用いて説明される動作は、ＰＵＣＣＨセルグループ毎に行われてもよい。すなわち、基地局装置３および端末装置１は、図４を用いて説明される動作を、１つのＰＵＣＣＨセルグループにおいて行ってもよい。また、図４の説明において、１つよりも多いサービングセルが設定されるとは、１つよりも多く５つ以下のサービングセルが設定されることであってもよい。
【００９８】
また、図４を用いて説明される動作は、基地局装置３によって設定されたセルグループ毎に行われてもよい。例えば、基地局装置３は、キャリアインディケータフィールドを用いて指示されるセルに対応させて、セルグループを設定してもよい。ここで、キャリアインディケータフィールドは、ＰＤＳＣＨおよび／またはＰＵＳＣＨがスケジュールされるセルを示すために用いられてもよい。すなわち、基地局装置３および端末装置１は、図４を用いて説明される動作を、基地局装置３によって設定された１つのセルグループにおいて行ってもよい。
【００９９】
ここで、基地局装置３は、ＣＳＩの送信を要求するために用いられる情報（CSI requestとも称される）をＰＤＣＣＨで送信することによって、ＰＵＳＣＨを用いたＣＳＩの送信（aperiodic CSI reportとも称される）をトリガしてもよい。例えば、ＣＳＩリクエストは、上りリンクに対するＤＣＩフォーマットに含まれてもよい。端末装置１は、サブフレームｎにおける、あるサービングセルに対する上りリンクに対するＤＣＩフォーマットのデコードに基づいて、ＣＳＩリクエストフィールドがレポートをトリガするようセットされている場合には、サブフレームｎ＋ｋにおける、該あるサービングセルにおいて、ＰＵＳＣＨを用いてアピリオディックＣＳＩレポーティングを実行してもよい。
【０１００】
ここで、ＣＳＩリクエストフィールドのサイズが１ビットの場合には、アピリオディックＣＳＩレポートは、あるサービングセルに対してトリガされてもよい。ここで、アピリオディックＣＳＩレポートがあるサービングセルに対してトリガされるとは、ＣＳＩリクエストが含まれるＤＣＩフォーマットを用いることによってＰＵＳＣＨがスケジュールされたサービングセルに対してアピリオディックＣＳＩレポートがトリガされることを示している。すなわち、ＣＳＩリクエストフィールドのサイズが１ビットの場合には、端末装置１は、ＰＵＳＣＨがスケジュールされた上りリンクコンポーネントキャリアに対応する下りリンクコンポーネントキャリアに対するＣＳＩをレポートしてもよい。
【０１０１】
また、ＣＳＩリクエストフィールドのサイズが２ビットの場合には、アピリオディックＣＳＩレポートは、アピリオディックＣＳＩレポーティングに対応する値に基づいてトリガされてもよい。例えば、ＣＳＩリクエストフィールドの値が“００”の場合には、アピリオディックＣＳＩレポートはトリガされなくてもよい。また、ＣＳＩリクエストフィールドの値が“０１”の場合には、アピリオディックＣＳＩレポートは、あるサービングセルに対してトリガされてもよい。また、ＣＳＩリクエストフィールドの値が“１０”の場合には、アピリオディックＣＳＩレポートは、上位層によって設定された１つまたは複数のサービングセルの第１のセット（1stset of one or more serving cells）に対してトリガされてもよい。また、ＣＳＩリクエストフィールドの値が“１１”の場合には、アピリオディックＣＳＩレポートは、上位層によって設定された１つまたは複数のサービングセルの第２のセット（1stset of one or more serving cells）に対してトリガされてもよい。
【０１０２】
例えば、基地局装置３は、１つまたは複数のサービングセルの第１のセットを設定するために用いられる情報（trigger1-r10とも称される）、および／または、１つまたは複数のサービングセルの第２のセットを設定するために用いられる情報（trigger2-r10とも称される）が含まれる、上位層の信号を送信してもよい。ここで、第１のセットを設定するために用いられる情報（trigger1-r10）、および／または、第２のセットを設定するために用いられる情報（trigger2-r10）は、第１の情報（aperiodicCSI-Trigger-r10、第１のパラメータとも称される）に含まれて送信されてもよい。
【０１０３】
すなわち、第１の情報、および／または、第１の情報に含まれる情報のそれぞれは、アピリオディックＣＳＩレポートが２ビットのＣＳＩリクエストフィールドの値によってトリガされた場合に、いずれのサービングセルに対するアピリオディックＣＳＩレポートがトリガされるかを示してもよい。
【０１０４】
端末装置１は、第１の情報、第１の情報に含まれる情報のそれぞれ、および／または、ＣＳＩリクエストフィールドの値に基づいて、ＰＵＳＣＨを用いてアピリオディックＣＳＩレポートを実行してもよい。
【０１０５】
また、ＣＳＩリクエストフィールドのサイズが３ビットの場合には、アピリオディックＣＳＩレポートは、アピリオディックＣＳＩレポーティングに対応する値に基づいてトリガされてもよい。すなわち、ＣＳＩリクエストフィールドの値が“０００”の場合には、アピリオディックＣＳＩレポートはトリガされなくてもよい。また、ＣＳＩリクエストフィールドの値が“００１”の場合には、アピリオディックＣＳＩレポートは、あるサービングセルに対してトリガされてもよい。また、ＣＳＩリクエストフィールドの値が“０１０”の場合には、アピリオディックＣＳＩレポートは、上位層によって設定された１つまたは複数のサービングセルの第１のセット（1stset of one or more serving cells）に対してトリガされてもよい。また、ＣＳＩリクエストフィールドの値が“０１１”の場合には、アピリオディックＣＳＩレポートは、上位層によって設定された１つまたは複数のサービングセルの第２のセット（2ndset of one or more serving cells）に対してトリガされてもよい。以下、同様に、ＣＳＩリクエストフィールドの値に基づいて、いずれのサービングセルに対するアピリオディックＣＳＩレポートがトリガされるかが示されてもよい。
【０１０６】
例えば、基地局装置３は、第１のセットを設定するために用いられる情報（trigger1-r13とも称される）、第２のセットを設定するために用いられる情報（trigger2-r13とも称される）、第３のセットを設定するために用いられる情報（trigger3-r13とも称される）、第４のセットを設定するために用いられる情報（trigger4-r13とも称される）、第５のセットを設定するために用いられる情報（trigger5-r13とも称される）、および／または、第６のセットを設定するために用いられる情報（trigger6-r13とも称される）が含まれる、上位層の信号を送信してもよい。
【０１０７】
ここで、第１のセットを設定するために用いられる情報（trigger1-r13）、第２のセットを設定するために用いられる情報（trigger2-r13）、第３のセットを設定するために用いられる情報（trigger3-r13）、第４のセットを設定するために用いられる情報（trigger4-r13）、第５のセットを設定するために用いられる情報（trigger5-r13）、および／または、第６のセットを設定するために用いられる情報（trigger6-r13）は、第２の情報（aperiodicCSI-Trigger-r13、第２のパラメータとも称される）に含まれて送信されてもよい。
【０１０８】
すなわち、第２の情報、および／または、第２の情報に含まれる情報のそれぞれは、アピリオディックＣＳＩレポートが３ビットのＣＳＩリクエストフィールドの値によってトリガされた場合に、いずれのサービングセルに対するアピリオディックＣＳＩレポートがトリガされるかを示してもよい。
【０１０９】
すなわち、端末装置１は、第２の情報、第２の情報に含まれる情報のそれぞれ、および／または、ＣＳＩリクエストフィールドの値に基づいて、ＰＵＳＣＨを用いてアピリオディックＣＳＩレポートを実行してもよい。
【０１１０】
ここで、図４において、アピリオディックＣＳＩレポートのレポーティングモード（ＣＳＩレポーティングモード、モードとも称する）は、上位層によって設定された第３の情報（cqi-ReportModeAperiodic-r8、第３のパラメータとも称される）を用いることによって与えられてもよい。例えば、基地局装置３は、上位層の信号を用いて、サービングセルのそれぞれに対して、第３の情報を、端末装置１に送信してもよい。端末装置１は、第３の情報を用いることによって与えられたレポーティングモードに基づいて、アピリオディックＣＳＩをレポートしてもよい。すなわち、図４の説明において、アピリオディックＣＳＩレポートのレポーティングモードは、常に、第１のパラメータを用いることによって与えられてもよい。ここで、アピリオディックＣＳＩレポートのレポーティングモードの詳細については、後述する。
【０１１１】
図５は、本実施形態におけるＣＳＩレポートを説明するための別の図である。図４（ａ）と同様に、図５（ａ）は、上りリンクに対するＤＣＩフォーマットと伴うＰＤＣＣＨに対する２ビットＣＳＩリクエストフィールドについての記載を示している。また、図４（ｂ）と同様に、図５（ｂ）は、上りリンクに対するＤＣＩフォーマットと伴うＰＤＣＣＨに対する３ビットＣＳＩリクエストフィールドについての記載を示している。例えば、図５（ａ）、図５（ｂ）は、ユーザー装置スペシフィックサーチスペースにおける上りリンクに対するＤＣＩフォーマットと伴うＰＤＣＣＨに対するＣＳＩリクエストフィールドについての記載を示している。
【０１１２】
以下、図５を用いて説明される動作は、ＰＵＣＣＨセルグループ毎に行われてもよい。すなわち、基地局装置３および端末装置１は、図５を用いて説明される動作を、１つのＰＵＣＣＨセルグループにおいて行ってもよい。また、図５の説明において、１つよりも多いサービングセルが設定されるとは、１つよりも多く５つ以下のサービングセルが設定されることであってもよい。
【０１１３】
また、図５を用いて説明される動作は、基地局装置３によって設定されたセルグループ毎に行われてもよい。例えば、基地局装置３は、キャリアインディケータフィールドを用いて指示されるセルに対応させて、セルグループを設定してもよい。ここで、キャリアインディケータフィールドは、ＰＤＳＣＨおよび／またはＰＵＳＣＨがスケジュールされるセルを示すために用いられてもよい。すなわち、基地局装置３および端末装置１は、図５を用いて説明される動作を、基地局装置３によって設定された１つのセルグループにおいて行ってもよい。
【０１１４】
上述した通り、基地局装置３は、ＣＳＩの送信を要求するために用いられる情報をＰＤＣＣＨで送信することによって、ＰＵＳＣＨを用いたＣＳＩの送信（aperiodic CSI reportとも称される）をトリガしてもよい。
【０１１５】
図５において、ＣＳＩリクエストフィールドのサイズが１ビットの場合には、アピリオディックＣＳＩレポートは、あるサービングセルに対してトリガされてもよい。さらに、ＣＳＩリクエストフィールドのサイズが１ビットの場合には、アピリオディックＣＳＩレポートのレポーティングモードは、第３の情報を用いることによって与えられてもよい。すなわち、ＣＳＩリクエストフィールドのサイズが１ビットの場合には、端末装置１は、ＰＵＳＣＨがスケジュールされた上りリンクコンポーネントキャリアに対応する下りリンクコンポーネントキャリアに対するアピリオディックＣＳＩを、第３の情報を用いることによって与えられたレポーティングモードに基づいてレポートしてもよい。
【０１１６】
また、ＣＳＩリクエストフィールドのサイズが２ビットの場合には、アピリオディックＣＳＩレポートは、アピリオディックＣＳＩレポーティングに対応する値に基づいてトリガされてもよい。さらに、ＣＳＩリクエストフィールドのサイズが２ビットの場合には、アピリオディックＣＳＩレポートのレポーティングモードは、アピリオディックＣＳＩレポーティングに対応する値に基づいて指示されてもよい。ここで、例えば、ＣＳＩリクエストフィールドの値が“００”の場合には、アピリオディックＣＳＩレポートはトリガされなくてもよい。
【０１１７】
ここで、ＣＳＩリクエストフィールドの値が“０１”の場合には、アピリオディックＣＳＩレポートは、あるサービングセルに対してトリガされてもよい。さらに、ＣＳＩリクエストフィールドの値が“０１”の場合には、アピリオディックＣＳＩレポートのレポーティングモードは、上位層によって設定された第３の情報を用いることによって与えられてもよい。すなわち、ＣＳＩリクエストフィールドの値が“０１”の場合には、端末装置１は、ＰＵＳＣＨがスケジュールされた上りリンクコンポーネントキャリアに対応する下りリンクコンポーネントキャリアに対するアピリオディックＣＳＩを、第３の情報を用いることによって与えられたレポーティングモードに基づいてレポートしてもよい。
【０１１８】
また、ＣＳＩリクエストフィールドの値が“０１”の場合には、アピリオディックＣＳＩレポートのレポーティングモードは、上位層によって設定された第４の情報（cqi-ReportModeAperiodic-r13、第４のパラメータとも称される）を用いることによって与えられてもよい。すなわち、ＣＳＩリクエストフィールドの値が“０１”の場合には、端末装置１は、ＰＵＳＣＨがスケジュールされた上りリンクコンポーネントキャリアに対応する下りリンクコンポーネントキャリアに対するアピリオディックＣＳＩを、第４の情報を用いることによって与えられたレポーティングモードに基づいてレポートしてもよい。
【０１１９】
また、ＣＳＩリクエストフィールドの値が“１０”の場合には、アピリオディックＣＳＩレポートは、上位層によって設定された１つまたは複数のサービングセルの第１のセット（1stset of one or more serving cells）に対してトリガされてもよい。さらに、ＣＳＩリクエストフィールドの値が“１０”の場合には、アピリオディックＣＳＩレポートのレポーティングモードとして、上位層によって設定されたレポーティングモード（1st reporting mode）が用いられてもよい。例えば、基地局装置３は、第５の情報（cqi-ReportModeAperiodic-trigger10、第５のパラメータとも称される）を送信することによって、ＣＳＩリクエストフィールドの値が“１０”の場合における、アピリオディックＣＳＩレポートのレポーティングモードを設定してもよい。すなわち、ＣＳＩリクエストフィールドの値が“０１”の場合には、端末装置１は、１つまたは複数のサービングセルの第１のセットに対するアピリオディックＣＳＩを、第５の情報を用いることによって与えられたレポーティングモードに基づいてレポートしてもよい。
【０１２０】
また、ＣＳＩリクエストフィールドの値が“１１”の場合には、アピリオディックＣＳＩレポートは、上位層によって設定された１つまたは複数のサービングセルの第２のセット（2ndset of one or more serving cells）に対してトリガされてもよい。さらに、ＣＳＩリクエストフィールドの値が“１１”の場合には、アピリオディックＣＳＩレポートのレポーティングモードとして、上位層によって設定されたレポーティングモード（2ndreporting mode）が用いられてもよい。例えば、基地局装置３は、第６の情報（cqi-ReportModeAperiodic-trigger11、第６のパラメータとも称される）を送信することによって、ＣＳＩリクエストフィールドの値が“１１”の場合における、アピリオディックＣＳＩレポートのレポーティングモードを設定してもよい。すなわち、ＣＳＩリクエストフィールドの値が“１１”の場合には、端末装置１は、１つまたは複数のサービングセルの第２のセットに対するアピリオディックＣＳＩを、第６の情報を用いることによって与えられたレポーティングモードに基づいてレポートしてもよい。
【０１２１】
例えば、基地局装置３は、レポーティングモードを設定するために用いられる第４の情報を、端末装置１へ送信してもよい。また、基地局装置３は、１つまたは複数のサービングセルの第１のセットを設定するために用いられる情報（trigger1-r10）、および／または、レポーティングモードを設定するために用いられる第５の情報を、端末装置１へ送信してもよい。また、基地局装置３は、１つまたは複数のサービングセルの第２のセットを設定するために用いられる情報（trigger2-r10）、および／または、レポーティングモードを設定するために用いられる第６の情報を、端末装置１へ送信してもよい。
【０１２２】
例えば、基地局装置３は、第４の情報、１つまたは複数のサービングセルの第１のセットを設定するために用いられる情報（trigger1-r10）、レポーティングモードを設定するために用いられる第５の情報、１つまたは複数のサービングセルの第２のセットを設定するために用いられる情報（trigger2-r10）、および／または、レポーティングモードを設定するために用いられる第６の情報が含まれる、第７の情報（第７のパラメータとも称される）を、上位層の信号を用いて送信してもよい。ここで、第７の情報は、第１の情報（aperiodicCSI-Trigger-r10）であってもよい。
【０１２３】
すなわち、第７の情報、および／または、第７の情報に含まれる情報のそれぞれは、アピリオディックＣＳＩレポートが２ビットのＣＳＩリクエストフィールドの値によってトリガされた場合に、いずれのサービングセルに対するアピリオディックＣＳＩレポートがトリガされるかを示してもよい。また、第７の情報、および／または、第７の情報に含まれる情報のそれぞれは、アピリオディックＣＳＩレポートが２ビットのＣＳＩリクエストフィールドの値によってトリガされた場合に、アピリオディックＣＳＩレポートに対して、いずれのレポーティングモードが用いられるのかを示してもよい。
【０１２４】
端末装置１は、第７の情報、第７の情報に含まれる情報のそれぞれ、および／または、ＣＳＩリクエストフィールドの値に基づいて、ＰＵＳＣＨを用いてアピリオディックＣＳＩレポートを実行してもよい。
【０１２５】
また、ＣＳＩリクエストフィールドのサイズが３ビットの場合には、アピリオディックＣＳＩレポートは、アピリオディックＣＳＩレポーティングに対応する値に基づいてトリガされてもよい。さらに、ＣＳＩリクエストフィールドのサイズが３ビットの場合には、アピリオディックＣＳＩレポートのレポーティングモードは、アピリオディックＣＳＩレポーティングに対応する値に基づいて指示されてもよい。ここで、例えば、ＣＳＩリクエストフィールドの値が“０００”の場合には、アピリオディックＣＳＩレポートはトリガされなくてもよい。
【０１２６】
また、ＣＳＩリクエストフィールドの値が“００１”の場合には、アピリオディックＣＳＩレポートは、あるサービングセルに対してトリガされてもよい。さらに、ＣＳＩリクエストフィールドの値が“００１”の場合には、アピリオディックＣＳＩレポートのレポーティングモードは、上位層によって設定された第３の情報（または、第４の情報）を用いることによって与えられてもよい。すなわち、ＣＳＩリクエストフィールドの値が“００１”の場合には、端末装置１は、ＰＵＳＣＨがスケジュールされた上りリンクコンポーネントキャリアに対応する下りリンクコンポーネントキャリアに対するアピリオディックＣＳＩを、第３の情報（または、第４の情報）を用いることによって与えられたレポーティングモードに基づいてレポートしてもよい。
【０１２７】
また、ＣＳＩリクエストフィールドの値が“００１”の場合には、アピリオディックＣＳＩレポートのレポーティングモードは、上位層によって設定された第８の情報（cqi-ReportModeAperiodic-trigger001、第８のパラメータとも称される）を用いることによって与えられてもよい。すなわち、ＣＳＩリクエストフィールドの値が“００１”の場合には、端末装置１は、ＰＵＳＣＨがスケジュールされた上りリンクコンポーネントキャリアに対応する下りリンクコンポーネントキャリアに対するアピリオディックＣＳＩを、第８の情報を用いることによって与えられたレポーティングモードに基づいてレポートしてもよい。
【０１２８】
また、ＣＳＩリクエストフィールドの値が“０１０”の場合には、アピリオディックＣＳＩレポートは、上位層によって設定された１つまたは複数のサービングセルの第１のセット（1stset of one or more serving cells）に対してトリガされてもよい。さらに、ＣＳＩリクエストフィールドの値が“０１０”の場合には、アピリオディックＣＳＩレポートのレポーティングモードとして、上位層によって設定されたレポーティングモード（1streporting mode）が用いられてもよい。例えば、基地局装置３は、第９の情報（cqi-ReportModeAperiodic-trigger010、第９のパラメータとも称される）を送信することによって、ＣＳＩリクエストフィールドの値が“０１０”の場合における、アピリオディックＣＳＩレポートのレポーティングモードを設定してもよい。すなわち、ＣＳＩリクエストフィールドの値が“０１０”の場合には、端末装置１は、１つまたは複数のサービングセルの第１のセットに対するアピリオディックＣＳＩを、第９の情報を用いることによって与えられたレポーティングモードに基づいてレポートしてもよい。
【０１２９】
また、ＣＳＩリクエストフィールドの値が“０１１”の場合には、アピリオディックＣＳＩレポートは、上位層によって設定された１つまたは複数のサービングセルの第２のセット（2ndset of one or more serving cells）に対してトリガされてもよい。さらに、ＣＳＩリクエストフィールドの値が“０１１”の場合には、アピリオディックＣＳＩレポートのレポーティングモードとして、上位層によって設定されたレポーティングモード（2ndreporting mode）が用いられてもよい。例えば、基地局装置３は、第１０の情報（cqi-ReportModeAperiodic-trigger011、第１０のパラメータとも称される）を送信することによって、ＣＳＩリクエストフィールドの値が“０１１”の場合における、アピリオディックＣＳＩレポートのレポーティングモードを設定してもよい。すなわち、ＣＳＩリクエストフィールドの値が“０１１”の場合には、端末装置１は、１つまたは複数のサービングセルの第２のセットに対するアピリオディックＣＳＩを、第１０の情報を用いることによって与えられたレポーティングモードに基づいてレポートしてもよい。
【０１３０】
以下、同様に、ＣＳＩリクエストフィールドの値に基づいて、いずれのサービングセルに対するアピリオディックＣＳＩレポートがトリガされるかが示されてもよい。また、ＣＳＩリクエストフィールドの値に基づいて、アピリオディックＣＳＩレポートに対して、いずれのレポーティングモードが用いられるのかが示されてもよい。
【０１３１】
例えば、基地局装置３は、レポーティングモードを設定するために用いられる第８の情報を、端末装置１へ送信してもよい。また、基地局装置３は、１つまたは複数のサービングセルの第１のセットを設定するために用いられる情報（trigger1-r13）、および／または、レポーティングモードを設定するために用いられる第９の情報を、端末装置１へ送信してもよい。また、基地局装置３は、１つまたは複数のサービングセルの第２のセットを設定するために用いられる情報（trigger2-r13）、および／または、レポーティングモードを設定するために用いられる第１０の情報を、端末装置１へ送信してもよい。
【０１３２】
同様に、基地局装置３は、１つまたは複数のサービングセルの第３のセット（3rdset of one or more serving cells）を設定するために用いられる情報（trigger3-r13とも称される）、および／または、レポーティングモード（3rdreporting more）を設定するために用いられる第１１の情報（cqi-ReportModeAperiodic-trigger100、第１１のパラメータとも称される）を、端末装置１へ送信してもよい。また、基地局装置３は、１つまたは複数のサービングセルの第４のセット（4thset of one or more serving cells）を設定するために用いられる情報（trigger4-r13）、および／または、レポーティングモード（4threporting more）を設定するために用いられる第１２の情報（cqi-ReportModeAperiodic-trigger101、第１２のパラメータとも称される）を、端末装置１へ送信してもよい。また、基地局装置３は、１つまたは複数のサービングセルの第５のセット（5thset of one or more serving cells）を設定するために用いられる情報（trigger5-r13）、および／または、レポーティングモード（5threporting more）を設定するために用いられる第１３の情報（cqi-ReportModeAperiodic-trigger110、第１３のパラメータとも称される）を、端末装置１へ送信してもよい。また、基地局装置３は、１つまたは複数のサービングセルの第６のセット（6thset of one or more serving cells）を設定するために用いられる情報（trigger6-r13）、および／または、レポーティングモード（6threporting more）を設定するために用いられる第１４の情報（cqi-ReportModeAperiodic-trigger111、第１４のパラメータとも称される）を、端末装置１へ送信してもよい。
【０１３３】
例えば、基地局装置３は、第８の情報、１つまたは複数のサービングセルの第１のセットを設定するために用いられる情報（trigger1-r13）、レポーティングモードを設定するために用いられる第９の情報、１つまたは複数のサービングセルの第２のセットを設定するために用いられる情報（trigger2-r13）、レポーティングモードを設定するために用いられる第１０の情報を、１つまたは複数のサービングセルの第３のセットを設定するために用いられる情報（trigger3-r13）、レポーティングモードを設定するために用いられる第１１の情報、１つまたは複数のサービングセルの第４のセットを設定するために用いられる情報（trigger4-r13）、レポーティングモードを設定するために用いられる第１２の情報、１つまたは複数のサービングセルの第５のセットを設定するために用いられる情報（trigger5-r13）、レポーティングモードを設定するために用いられる第１３の情報、１つまたは複数のサービングセルの第６のセットを設定するために用いられる情報（trigger6-r13）、および／または、レポーティングモードを設定するために用いられる第１４の情報が含まれる、第１５の情報を、上位層の信号を用いて送信してもよい。ここで、第１５の情報は、第２の情報（aperiodicCSI-Trigger-r13）であってもよい。
【０１３４】
すなわち、第１５の情報、および／または、第１５の情報に含まれる情報のそれぞれは、アピリオディックＣＳＩレポートが３ビットのＣＳＩリクエストフィールドの値によってトリガされた場合に、いずれのサービングセルに対するアピリオディックＣＳＩレポートがトリガされるかを示してもよい。また、第１５の情報、および／または、第１５の情報に含まれる情報のそれぞれは、アピリオディックＣＳＩレポートが１５ビットのＣＳＩリクエストフィールドの値によってトリガされた場合に、アピリオディックＣＳＩレポートに対して、いずれのレポーティングモードが用いられるのかを示してもよい。
【０１３５】
端末装置１は、第１５の情報、第１５の情報の情報のそれぞれ、および／または、ＣＳＩリクエストフィールドの値に基づいて、ＰＵＳＣＨを用いてアピリオディックＣＳＩレポートを実行してもよい。
【０１３６】
ここで、図５において、基地局装置３は、１つまたは複数のサービングセルのセットとして設定したサービングセルのそれぞれに対して、アピリオディックＣＳＩレポートのレポーティングモードを設定してもよい（独立に設定してもよい）。例えば、基地局装置３は、１つまたは複数のサービングセルの第１のセットとして、ビットマップを用いて“１０１１１００１０１１１００１１１１１１１０１１００１１１０１１（３２ビット）”を設定した場合に、“１”をセットしたサービングセルに対応してアピリオディックＣＳＩレポートのレポーティングモードを設定してもよい。ここで、“１”はアピリオディックＣＳＩレポートがトリガされたサービングセルを示し、“０”はアピリオディックＣＳＩレポートがトリガされていないサービングセルを示してもよい。
【０１３７】
すなわち、この場合において、基地局装置３は、“１”をセットした２２のサービングセルのアピリオディックＣＳＩレポートのそれぞれに対して、レポーティングモードを設定してもよい。端末装置１は、“１”がセットされた２２のサービングセルのアピリオディックＣＳＩレポートのそれぞれを、設定されたレポーティングモードを用いて実行してもよい。
【０１３８】
すなわち、上述した通り、基地局装置３は、上位層における情報のみ（例えば、第３の情報、および／または、第４の情報）に基づいて、アピリオディックＣＳＩレポートのレポーティングモードを設定（決定）してもよい。以下、上位層における情報のみに基づいてレポーティングモードが設定（決定）され、アピリオディックＣＳＩレポートが実行されることを、第１の動作とも称する。
【０１３９】
また、上述した通り、基地局装置３は、上位層における情報（例えば、第５の情報、第６の情報、第８の情報、第９の情報、第１０の情報、第１１の情報、第１２の情報、第１３の情報、および／または、第１４の情報）、および、アピリオディックＣＳＩレポーティングに対応する値に基づいて、アピリオディックＣＳＩレポートのレポーティングモードを設定（決定）してもよい。以下、上位層における情報、および、アピリオディックＣＳＩレポーティングに対応する値に基づいて、レポーティングモードが設定（決定）され、アピリオディックＣＳＩレポートが実行されることを、第２の動作とも称する。
【０１４０】
ここで、上述した通り、第２の動作において、基地局装置３は、設定した１つまたは複数のサービングセルに対して、共通にレポーティングモードを設定してもよい。また、上述した通り、基地局装置３は、上位層における情報、および、アピリオディックＣＳＩレポーティングに対応する値に基づいて、設定された１つまたは複数のサービングセルに対して独立にレポーティングモードを設定（決定）してもよい。以下、上位層における情報、および、アピリオディックＣＳＩレポーティングに対応する値に基づいて、１つまたは複数のサービングセルに対して共通にレポーティングモードが設定（決定）され、アピリオディックＣＳＩレポートが実行されることを、第２−１の動作とも称する。また、上位層における情報、および、アピリオディックＣＳＩレポーティングに対応する値に基づいて、１つまたは複数のサービングセルに対して独立にレポーティングモードが設定（決定）され、アピリオディックＣＳＩレポートが実行されることを、第２−２の動作とも称する。
【０１４１】
ここで、基地局装置３は、第１の動作、第２の動作、第２−１の動作、および／または、第２−２の動作のいずれを実行するのかを、端末装置１へ設定してもよい。例えば、基地局装置３は、第１の動作、第２の動作、第２−１の動作、および／または、第２−２の動作のいずれを実行するのかを設定するために用いられる第１７の情報を、上位層の信号を用いて送信してもよい。例えば、基地局装置３は、第１の動作、および、第２の動作の動作のいずれを実行するのかを端末装置１へ設定してもよい。また、例えば、基地局装置３は、第１の動作、および、第２−１の動作のいずれを実行するのかを端末装置１へ設定してもよい。また、例えば、基地局装置３は、第１の動作、および、第２−２の動作のいずれを実行するのかを端末装置１へ設定してもよい。
【０１４２】
ここで、図４および図５において、基地局装置３は、上位層の信号を用いて、サービングセルのそれぞれに対して、第１の情報、第２の情報、第７の情報、および／または、第１５の情報を、端末装置１に送信してもよい。また、端末装置１は、上位層の信号を用いて、サービングセルのそれぞれに対して、第１の情報、第２の情報、第７の情報、および／または、第１５の情報を、基地局装置３から受信してもよい。すなわち、第１の情報、第２の情報、第７の情報、および／または、第１５の情報を用いて、１つまたは複数のサービングセルのセットのそれぞれが、上りリンクリソース（上りリンクコンポーネントキャリア）を伴うサービングセル毎に設定されてもよい。
【０１４３】
また、図４および図５において、第１の情報、第２の情報、第７の情報、および／または、第１５の情報を用いて設定される、１つまたは複数のサービングセルのセットのそれぞれには、５つまでのサービングセルが含まれてもよい（５つまでのサービングセルが８ビットのビットマップを用いて指示されてもよい）。また、第１の情報、第２の情報、第７の情報、および／または、第１５の情報を用いて設定される、１つまたは複数のサービングセルのセットのそれぞれには、３２までのサービングセルが含まれてもよい（３２までのサービングセルが３２ビットのビットマップを用いて指示されてもよい）。
【０１４４】
また、図４および図５において、ＣＳＩリクエストフィールドのサイズが２ビットの場合とＣＳＩリクエストフィールドのサイズが３ビットの場合に対して、それぞれ異なるテーブルが定義されてもよい。また、ＣＳＩリクエストフィールドのサイズが２ビットの場合とＣＳＩリクエストフィールドのサイズが３ビットの場合に対して、１つの共通のテーブルが定義されてもよい。
【０１４５】
ここで、図４を用いて説明した動作は、１つのサービングセルが設定された場合に実行されてもよい。また、図４を用いて説明した動作は、１つよりも多いサービングセルが設定（または活性化）された場合に実行されてもよい。また、図４を用いて説明した動作は、５つよりも多いサービングセルが設定（または活性化）された場合に実行されてもよい。
【０１４６】
また、図５を用いて説明した動作は、１つのサービングセルが設定された場合に実行されてもよい。また、図５を用いて説明した動作は、１つよりも多いサービングセルが設定（または活性化）された場合に実行されてもよい。また、図５を用いて説明した動作は、５つよりも多いサービングセルが設定（または活性化）された場合に実行されてもよい。
【０１４７】
ここで、基地局装置３は、図４を用いて説明される動作、図５を用いて説明される動作のいずれの動作を行うのかを、上位層の信号を用いて端末装置１へ設定してもよい。例えば、基地局装置３は、アピリオディックＣＳＩレポートがトリガされるＣＳＩリクエストフィールドの値によって、いずれのサービングセルに対するアピリオディックＣＳＩレポートがトリガされるかのみを示しているのか（図４を用いて説明される動作）、アピリオディックＣＳＩレポートがトリガされるＣＳＩリクエストフィールドの値によって、いずれのサービングセルに対するアピリオディックＣＳＩレポートがトリガされ、且つ、アピリオディックＣＳＩレポートに対して、いずれのレポーティングモードが用いられるのかを示しているのか（図５を用いて説明される動作）、を設定するために用いられる第１６の情報（第１６のパラメータとも称される）を送信してもよい。
【０１４８】
また、図４および図５において、ＣＳＩリクエストフィールドのサイズは、少なくとも、設定されたサービングセル（下りリンクセル）の数、および／または、ＤＣＩフォーマットがマップされたサーチスペースに基づいて決定されてもよい。また、ＣＳＩリクエストフィールドのサイズは、少なくとも、活性化されたサービングセル（下りリンクセル）の数、および／または、ＤＣＩフォーマットがマップされたサーチスペースに基づいて決定されてもよい。
【０１４９】
例えば、端末装置１に対して１つのサービングセルが設定された場合には、ＣＳＩリクエストフィールドのサイズとして（ＣＳＩリクエストに対して）、１ビットのフィールドが適用されてもよい。また、ＤＣＩフォーマットがコモンサーチスペースにマップされた場合には、ＣＳＩリクエストフィールドのサイズとして、１ビットのフィールドが適用されてもよい。例えば、１つのサービングセルが設定された端末装置１は、ＣＳＩリクエストフィールドのサイズが１ビットであると想定してもよい。また、ＤＣＩフォーマットをコモンサーチスペースにおいて検出（受信）した場合には、ＣＳＩリクエストフィールドのサイズが１ビットであると想定してもよい。
【０１５０】
また、端末装置１に対して１つよりも多いサービングセルが設定（または活性化）され、且つ、ＤＣＩフォーマットがユーザー装置スペシフィックサーチスペースにマップされた場合には、ＣＳＩリクエストフィールドのサイズとして、２ビットのフィールドが適用されてもよい。上述したように、ユーザー装置スペシフィックサーチスペースは、少なくとも、Ｃ−ＲＮＴＩによって与えられてもよい。例えば、１つよりも多いサービングセルが設定された端末装置１は、ＤＣＩフォーマットをユーザー装置スペシフィックサーチスペースにおいて検出した場合には、ＣＳＩリクエストフィールドのサイズが２ビットであると想定してもよい。
【０１５１】
また、５つよりも多いサービングセルが設定（または活性化）され、且つ、ＤＣＩフォーマットがユーザー装置スペシフィックサーチスペースにマップされた場合には、ＣＳＩリクエストフィールドのサイズとして、３ビットのフィールドが適用されてもよい。例えば、５つよりも多いサービングセルが設定または活性化された端末装置１は、ＤＣＩフォーマットをユーザー装置スペシフィックサーチスペースにおいて検出した場合には、ＣＳＩリクエストフィールドのサイズが３ビットであると想定してもよい。
【０１５２】
ここで、上述したように、基地局装置３と端末装置１は、上述の動作を、１つのセルグループ（以下、セルグループには、ＰＵＣＣＨセルグループが含まれてもよい）において実行してもよい。上述した通り、基地局装置３は、セルグループを端末装置１へ設定してもよい。ここで、１つのＰＵＣＣＨセルグループとは、ＤＣＩフォーマット（すなわち、ＣＳＩリクエストが含まれるＤＣＩフォーマット、以下、対応するＤＣＩフォーマットとも称する）を用いることによってＰＵＳＣＨがスケジュールされたサービングセルが属するセルグループであってもよい。
【０１５３】
すなわち、例えば、端末装置１に対して、対応するＤＣＩフォーマットを用いることによってＰＵＳＣＨがスケジュールされたサービングセルが属するセルグループにおいて１つのサービングセルが設定された場合には、ＣＳＩリクエストフィールドのサイズとして、１ビットのフィールドが適用されてもよい。また、対応するＤＣＩフォーマットがコモンサーチスペースにマップされた場合には、ＣＳＩリクエストフィールドのサイズとして、１ビットのフィールドが適用されてもよい。
【０１５４】
また、端末装置１に対して、対応するＤＣＩフォーマットを用いることによってＰＵＳＣＨがスケジュールされたサービングセルが属するセルグループにおいて１つよりも多いサービングセルが設定され、且つ、該対応するＤＣＩフォーマットがユーザー装置スペシフィックサーチスペースにマップされた場合には、ＣＳＩリクエストフィールドのサイズとして、２ビットのフィールドが適用されてもよい。
【０１５５】
また、端末装置１に対して、対応するＤＣＩフォーマットを用いることによってＰＵＳＣＨがスケジュールされたサービングセルが属するセルグループにおいて５つよりも多いサービングセルが設定され、且つ、該対応するＤＣＩフォーマットがユーザー装置スペシフィックサーチスペースにマップされた場合には、ＣＳＩリクエストフィールドのサイズとして、３ビットのフィールドが適用されてもよい。
【０１５６】
すなわち、例えば、第１のセルグループおよび第２のセルグループが設定された場合において、第１のセルグループにおいて１つのサービングセルが設定され、且つ、ユーザー装置スペシフィックサーチスペースおよび／またはコモンサーチスペースにマップされたＤＣＩフォーマットを用いることによって第１のセルグループに属するサービングセルにおけるＰＵＳＣＨがスケジュールされたならば、ＣＳＩリクエストフィールドのサイズとして、１ビットのフィールドが適用されてもよい。
【０１５７】
また、第１のセルグループおよび第２のセルグループが設定された場合において、第２のセルグループにおいて１つのサービングセルが設定され、且つ、ユーザー装置スペシフィックサーチスペースおよび／またはコモンサーチスペースにマップされたＤＣＩフォーマットを用いることによって第２のセルグループに属するサービングセルにおけるＰＵＳＣＨがスケジュールされたならば、ＣＳＩリクエストフィールドのサイズとして、１ビットのフィールドが適用されてもよい。
【０１５８】
また、例えば、第１のセルグループおよび第２のセルグループが設定された場合において、第１のＰＵＣＣＨセルグループにおいて１つよりも多いサービングセルが設定され、且つ、ユーザー装置スペシフィックサーチスペースにマップされたＤＣＩフォーマットを用いることによって第１のセルグループに属するサービングセルにおけるＰＵＳＣＨがスケジュールされたならば、ＣＳＩリクエストフィールドのサイズとして、２ビットのフィールドが適用されてもよい。
【０１５９】
また、第１のセルグループおよび第２のセルグループが設定された場合において、第２のセルグループにおいて１つよりも多いサービングセルが設定され、且つ、ユーザー装置スペシフィックサーチスペースにマップされたＤＣＩフォーマットを用いることによって第２のセルグループに属するサービングセルにおけるＰＵＳＣＨがスケジュールされたならば、ＣＳＩリクエストフィールドのサイズとして、２ビットのフィールドが適用されてもよい。
【０１６０】
また、例えば、第１のセルグループおよび第２のセルグループが設定された場合において、第１のセルグループにおいて５つよりも多いサービングセルが設定または活性化され、且つ、ユーザー装置スペシフィックサーチスペースにマップされたＤＣＩフォーマットを用いることによって第１のＰＵＣＣＨセルグループに属するサービングセルにおけるＰＵＳＣＨがスケジュールされたならば、ＣＳＩリクエストフィールドのサイズとして、３ビットのフィールドが適用されてもよい。
【０１６１】
また、第１のセルグループおよび第２のセルグループが設定された場合において、第２のセルグループにおいて５つよりも多いサービングセルが設定または活性化され、且つ、ユーザー装置スペシフィックサーチスペースにマップされたＤＣＩフォーマットを用いることによって第２のセルグループに属するサービングセルにおけるＰＵＳＣＨがスケジュールされたならば、ＣＳＩリクエストフィールドのサイズとして、３ビットのフィールドが適用されてもよい。
【０１６２】
すなわち、端末装置１に対して、対応するセルグループにおいて１つのサービングセルが設定された場合、または、対応するＤＣＩフォーマットがコモンサーチスペースにマップされた場合には、ＣＳＩリクエストフィールドのサイズとして、１ビットのフィールドが適用されてもよい。また、端末装置１に対して、対応するセルグループにおいて１つよりも多いサービングセルが設定され、且つ、対応するＤＣＩフォーマットがユーザー装置スペシフィックサーチスペースにマップされた場合には、ＣＳＩリクエストフィールドのサイズとして、２ビットのフィールドが適用されてもよい。また、端末装置１に対して、対応するセルグループにおいて５つよりも多いサービングセルが設定され、且つ、対応するＤＣＩフォーマットがユーザー装置スペシフィックサーチスペースにマップされた場合には、ＣＳＩリクエストフィールドのサイズとして、３ビットのフィールドが適用されてもよい。
【０１６３】
ここで、対応するセルグループとは、ＤＣＩフォーマット（すなわち、ＣＳＩリクエストが含まれるＤＣＩフォーマット）を用いることによってＰＵＳＣＨがスケジュールされたサービングセルが属するセルグループであってもよい。また、対応するＤＣＩフォーマットは、アピリオディックＣＳＩのレポートを要求するＤＣＩフォーマット（すなわち、ＣＳＩリクエストが含まれるＤＣＩフォーマット）であってもよい。
【０１６４】
ここで、本実施形態においては、一例として、ＣＳＩリクエストフィールドのサイズが１ビット、２ビット、および、３ビットの場合について記載したが、ＣＳＩリクエストフィールドのサイズは３ビットよりも大きいビット数でもよいことは勿論である。
【０１６５】
ここで、上述した通り、基地局装置３と端末装置１は、あるサブフレームにおいて、ＰＵＣＣＨでピリオディックＣＳＩを送受信してもよい。また、基地局装置３と端末装置１は、あるサブフレームにおいて、ＰＵＳＣＨでアピリオディックＣＳＩを送受信してもよい。ここで、端末装置１は、同一のサブフレームにおいて、ピリオディックＣＳＩレポートおよびアピリオディックＣＳＩレポートの両方が生じた場合には、該サブフレームにおいて、アピリオディックＣＳＩレポートのみを送信してもよい（In case both periodic and aperiodic CSI reporting would occur in the same subframe, the UE shall only transmit the aperiodic CSI report in that subframe）。すなわち、端末装置１は、同一のサブフレームにおいて、ピリオディックＣＳＩレポーティングおよびアピリオディックＣＳＩレポーティングの両方が生じた場合には、該サブフレームにおいて、ピリオディックＣＳＩレポートをドロップしてもよい。
【０１６６】
ここで、端末装置１は、同一のサブフレームにおいて、あるセービングセルに対するピリオディックＣＳＩレポート、および、該あるサービングセルとは異なるサービングセルに対するアピリオディックＣＳＩレポートの両方が生じた場合には、該サブフレームにおいて、ピリオディックＣＳＩレポートおよびアピリオディックＣＳＩレポートの両方を送信してもよい。すなわち、端末装置１は、同一のサブフレームにおいて、異なるサービングセルに対するピリオディックＣＳＩレポートおよびアピリオディックＣＳＩレポートが生じた場合には、該サブフレームにおいて、ピリオディックＣＳＩレポートおよびアピリオディックＣＳＩレポートの両方を送信してもよい。
【０１６７】
すなわち、端末装置１は、同一のサブフレームにおいて、あるセービングセルに対するピリオディックＣＳＩレポート、および、該あるサービングセルに対するアピリオディックＣＳＩレポートの両方が生じた場合には、該サブフレームにおいて、アピリオディックＣＳＩレポートのみを送信してもよい。すなわち、端末装置１は、同一のサブフレームにおいて、同一のサービングセルに対するピリオディックＣＳＩレポートおよびアピリオディックＣＳＩレポートが生じた場合には、該サブフレームにおいて、アピリオディックＣＳＩレポートのみを送信してもよい。すなわち、端末装置１は、同一のサブフレームにおいて、同一のサービングセルに対するピリオディックＣＳＩレポートおよびアピリオディックＣＳＩレポートが生じた場合には、該サブフレームにおいて、ピリオディックＣＳＩレポートをドロップしてもよい。
【０１６８】
図６は、アピリオディックＣＳＩレポートのレポーティングモードを説明するための図である。例えば、アピリオディックＣＳＩレポートのレポーティングモードは、ＰＤＳＣＨの送信モード（例えば、送信モード１から送信モード１０）のそれぞれに対応して設定されてもよい。例えば、送信モード１に対して、図６に示される、モード１−０、モード２−０、および、モード３−０のみが設定可能であってもよい（サポートされてもよい）。また、例えば、送信モード４に対して、図６に示される、モード１−２、モード２−２、モード３−１、および、３−２のみが設定可能であってもよい（サポートされてもよい）。ここで、基地局装置３は、ＰＤＳＣＨの送信モードを、上位層の信号を用いて端末装置１へ設定してもよい。また、上述した通り、基地局装置３は、アピリオディックＣＳＩレポートのレポーティングモードを設定してもよい。
【０１６９】
基地局装置３と端末装置１は、図６によって示されるＣＱＩおよびＰＭＩのフィードバックタイプに基づいて、あるサブフレームにおいて、ＰＵＳＣＨでＣＳＩレポーティングを実行してもよい。
【０１７０】
例えば、モード１‐０が設定された場合、あるサブフレームにおいて、単一のワイドバンドＣＱＩのみがレポートされてもよい。また、モード１‐２が設定された場合、あるサブフレームにおいて、単一のＣＱＩ（wideband CQI）、および、複数のＰＭＩ（subband PMI）がレポートされてもよい。
【０１７１】
また、モード２‐０が設定された場合、あるサブフレームにおいて、端末装置１によって選択された、単一のＣＱＩ（wideband CQI）のみがレポートされてもよい。また、モード２‐２が設定された場合、あるサブフレームにおいて、端末装置１によって選択されたサブバンドに関する、単一のＣＱＩ（wideband CQI）、および、複数のＰＭＩ（subband PMI）がレポートされてもよい。
【０１７２】
また、モード３‐０が設定された場合、あるサブフレームにおいて、基地局装置３によって設定されたサブバンドに関する、単一のＣＱＩ（wideband CQI）のみがレポートされてもよい。また、モード３‐１が設定された場合、あるサブフレームにおいて、基地局装置３によって設定されたサブバンドに関する、複数のＣＱＩ（subband CQI）、および、単一のＰＭＩ（single PMI）がレポートされてもよい。また、モード３‐２が設定された場合、あるサブフレームにおいて、基地局装置３によって設定されたサブバンドに関する、複数のＣＱＩ（subband CQI）、および、複数のＰＭＩ（subband PMI）がレポートされてもよい。
【０１７３】
ここで、端末装置１がＣＳＩレポーティング（ＣＱＩレポーティングでもよい）に対して評価するサブバンドのセットは、全体の下りリンクのシステム帯域幅に広がっていてもよい（the set of subband (S) a UE shall evaluate for CQI reporting spans the untire downlink system bandwidth）。すなわち、ＣＳＩレポーティングが評価（算出、計算）されるサブバンドのセットは、セットＳ（セットＳサブバンド）とも称される。ここで、セットＳは、下りリンクのシステム帯域幅でもよい。また、セットＳは、サービングセル毎に規定されてもよい。また、セットＳサブバンドは、基地局装置３によって設定されてもよい。例えば、基地局装置３は、セットＳサブバンドを設定するために用いられる第１８の情報を送信してもよい。ここで、サブバンドは、連続した物理リソースブロックのセットであってもよい。
【０１７４】
図６に示されるように、本実施形態においてモード１‐０がサポートされる。ここで、モード１‐０は、wideband-only CQI reportingとも称される。上述した通り、モード１‐０において、端末装置１は、１つの（単一の）ＣＱＩの値をレポートしてもよい。例えば、モード１‐０において、端末装置１は、コードワード毎に１つのワイドバンドのＣＱＩの値をレポートしてもよい。ここで、１つのＣＱＩの値は、セットＳサブバンドにおける送信を想定して算出されてもよい（one CQI value is calculated assuming transmission on set S subband）。また、１つのＣＱＩの値は、各サブバンドにおける対応する選択されたプレコーディングマトリックスを用いることを想定して算出されてもよい。
【０１７５】
図６に示されるように、本実施形態においてモード１‐１がサポートされる。ここで、モード１‐１は、wideband-only CQI reporting and Single PMI reportingとも称される。ここで、モード１‐１において、端末装置１は、１つの（単一の）ＣＱＩの値、および、１つの（単一の）ＰＭＩ（ＰＭＩの値）をレポートしてもよい。例えば、モード１‐１において、端末装置１は、コードワード毎に１つのワイドバンドのＣＱＩの値をレポートしてもよい。ここで、１つのＣＱＩの値は、セットＳサブバンドにおける送信を想定して算出されてもよい（one CQI value is calculated assuming transmission on set S subband）。また、単一のＰＭＩ（ＰＭＩの値）は、セットＳサブバンドにおける送信を想定して、コードブックサブセットから選択されてもよい（A single precoding matrix is selected from the code book subset assuming transmission on set S subband）。ここで、基地局装置３は、コードブックとして使用可能なコードブックサブセットを、上位層の信号を用いて端末装置１へ設定してもよい。
【０１７６】
上述した通り、基地局装置３は、セットＳサブバンドを端末装置１へ設定してもよい。すなわち、基地局装置３は、モード１‐０において、端末装置１が評価（算出、計算）するサブバンドのセット（下りリンクの帯域幅）を設定してもよい。端末装置１は、基地局装置３によって設定されたサブバンドのセットにおける送信を想定して算出されたＣＱＩをレポートしてもよい。ここで、端末装置１は、サービングセルのそれぞれにおける、下りリンクのシステム帯域幅における送信を想定して算出されたＣＱＩをレポートしてもよい。
【０１７７】
例えば、上述した通り、基地局装置３によってアピリオディックＣＳＩレポートのレポーティングモードとしてモード１‐０が設定された場合には、端末装置１は、アピリオディックＣＳＩレポートを、モード１‐０を用いて実行してもよい。
【０１７８】
また、例えば、上述した通り、基地局装置３によって、１つまたは複数のサービングセルの第１のセットとして、ビットマップを用いて“１０１１１００１０１１１００１１１１１１１０１１００１１１０１１（３２ビット）”が設定された場合に、モード１‐０が設定された端末装置１は、“１”にセットされた２２のサービングセルに対するアピリオディックＣＳＩレポートを、モード１‐０を用いて実行してもよい。例えば、１つのサービングセルに対するＣＱＩが４ビットで表されるならば、端末装置１は、８８ビット（２２×４）のアピリオディックＣＳＩレポートを実行してもよい。
【０１７９】
また、例えば、上述した通り、基地局装置３によって、１つまたは複数のサービングセルの第１のセットとして、ビットマップを用いて“１０１１１００１０１１１００１１１１１１１０１１００１１１０１１（３２ビット）”が設定され、１０のサービングセルに対してモード１‐０が設定（独立に設定）された場合に、端末装置１は、対応する１０のサービングセルに対するアピリオディックＣＳＩレポートを、モード１‐０を用いて実行してもよい。例えば、１つのサービングセルに対するＣＱＩが４ビットで表されるならば、モード１‐０を用いて実行されるアピリオディックＣＳＩレポートのビット数は、４０ビットであってもよい。また、この場合に、端末装置１は、残りの１２のサービングセル（“１”にセットされた２２のサービングセルのうち、モード１−０が設定されていないサービングセル）に対するアピリオディックＣＳＩレポートを、別途、独立に設定されたレポーティングモードを用いて実行してもよい。すなわち、端末装置１は、モード１‐０に基づく１０のサービングセルのＣＳＩ（wideband-only CQI）と、他のモードに基づく１２のサービングセルのＣＳＩと、を１つのＰＵＳＣＨでレポートしてもよい。
【０１８０】
上述のように、アピリオディックＣＳＩレポーティングのレポーティングモードが設定されることによって、より柔軟にレポーティングモードを設定することが可能となる。例えば、上位層における情報、および、アピリオディックＣＳＩレポーティングに対応する値に基づいて、アピリオディックＣＳＩレポートのレポーティングモードが設定されることによって、より動的にレポーティングモードを設定することが可能となる。また、アピリオディックＣＳＩレポーティングがトリガされる１つまたは複数のサービングセルに対して、共通にレポーティングモードを設定することによって、情報量（レポーティングモードの設定に関する情報量）を考慮したレポーティングモードの設定が可能となる。また、アピリオディックＣＳＩレポーティングがトリガされる１つまたは複数のサービングセルに対して、独立にレポーティングモードを設定することによって、より柔軟にレポーティングモードを設定することが可能となる。例えば、アピリオディックＣＳＩレポーティングがトリガされる１つまたは複数のサービングセルに対して、独立にレポーティングモードを設定することによって、wideband-only CQI reportingを実行させる、１つまたは複数のサービングセルを柔軟に設定することが可能となる。
【０１８１】
以下、本実施形態における装置の構成について説明する。
【０１８２】
図７は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１８３】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（PacketData Convergence Protocol: PDCP）層、無線リンク制御（Radio Link Control: RLC）層、無線リソース制御（Radio Resource Control: RRC）層の処理を行なう。
【０１８４】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０１８５】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１８６】
また、上位層処理部１０１が備える送信電力制御部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。
【０１８７】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１８８】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０１８９】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１９０】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１９１】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１９２】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１９３】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０１９４】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０１９５】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０１９６】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０１９７】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（DiscreteFourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１９８】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０１９９】
図８は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信電力制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２００】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２０１】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２０２】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２０３】
また、上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。
【０２０４】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２０５】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２０６】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２０７】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２０８】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２０９】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２１０】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０２１１】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２１２】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２１３】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２１４】
より具体的には、本実施形態における端末装置１は、１つまたは複数のサービングセルの第１のセットを設定するために用いられる情報、および、第１のレポーティングモードを設定するために用いられる情報が含まれる上位層の信号を受信し、１つまたは複数のサービングセルの第２のセットを設定するために用いられる情報、および、第２のレポーティングモードを設定するために用いられる情報が含まれる上位層の信号を受信し、ＣＳＩリクエストが含まれるＤＣＩフォーマットをＰＤＣＣＨで受信する受信部１０５と、前記ＣＳＩリクエストのフィールドに第１の値がセットされている場合には、前記第１のセットに対するＣＳＩを、前記第１のレポーティングモードを用いてＰＵＳＣＨで送信し、前記ＣＳＩリクエストのフィールドに第２の値がセットされている場合には、前記第２のセットに対するＣＳＩを、前記第２のレポーティングモードを用いてＰＵＳＣＨで送信する送信部１０７と、を備える。
【０２１５】
また、前記送信部１０７は、前記ＣＳＩリクエストが含まれる前記ＤＣＩフォーマットを用いて前記ＰＵＳＣＨがスケジューリングされたサービングセルが属するセルグループに対するＣＳＩをレポートする。ここで、前記第１のレポーティングモード、および、第２のレポーティングモードのいずれかは、セットＳサブバンドにおける送信を想定して算出されたＣＱＩをレポートするモードである。
【０２１６】
また、本実施形態における基地局装置３は、１つまたは複数のサービングセルの第１のセットを設定するために用いられる情報、および、第１のレポーティングモードを設定するために用いられる情報が含まれる上位層の信号を送信し、１つまたは複数のサービングセルの第２のセットを設定するために用いられる情報、および、第２のレポーティングモードを設定するために用いられる情報が含まれる上位層の信号を送信し、ＣＳＩリクエストが含まれるＤＣＩフォーマットをＰＤＣＣＨで送信する送信部３０７と、前記ＣＳＩリクエストのフィールドに第１の値がセットした場合には、前記第１のセットに対するＣＳＩを、前記第１のレポーティングモードを用いてＰＵＳＣＨで受信し、前記ＣＳＩリクエストのフィールドに第２の値がセットされている場合には、前記第２のセットに対するＣＳＩを、前記第２のレポーティングモードを用いてＰＵＳＣＨで受信する受信部３０５と、を備える。
【０２１７】
また、前記受信部１０７は、前記ＣＳＩリクエストが含まれる前記ＤＣＩフォーマットを用いて前記ＰＵＳＣＨをスケジューリングしたサービングセルが属するセルグループに対するＣＳＩを受信する。ここで、前記第１のレポーティングモード、および、第２のレポーティングモードのいずれかは、セットＳサブバンドにおける送信を想定して算出されたＣＱＩをレポートするモードである。
【０２１８】
これにより、端末装置が、上りリンク制御情報を効率的に送信することができる。
【０２１９】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２２０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２２１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２２２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２２３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２２４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２２５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２２６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２２７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２２８】
本発明は、少なくとも、携帯電話、パーソナル・コンピュータ、タブレット型コンピュータなどに適用できる。
【符号の説明】
【０２２９】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力制御部
３０１１  無線リソース制御部
３０１３  スケジューリング部
３０１５  送信電力制御部
【図１】
2016163369.tif 000003
【図２】
2016163369.tif 000004
【図３】
2016163369.tif 000005
【図４】
2016163369.tif 000006
【図５】
2016163369.tif 000007
【図６】
2016163369.tif 000008
【図７】
2016163369.tif 000009
【図８】
2016163369.tif 000010
【国際調査報告】
2016163369.tif 000011
2016163369.tif 000012